(57)【要約】【課題】記録媒体２１のおもて面２２および裏面２３の両面に画像を記録する。【解決手段】記録媒体２１の画像記録部４０への搬入および画像記録部４０からの搬出を搬入・搬出部のみで行い、記録媒体２１のおもて面２２に画像記録後、退避部６０への搬出動作から画像記録部４０への再搬入動作までの間、記録媒体２１を拘束し続ける搬入・搬出部３０を有する。【選択図】図２
2016002767.tif 000002
【特許請求の範囲】
【請求項１】
記録媒体を供給する供給部２０と、画像記録部４０へ記録媒体２１を搬入する搬入・搬出部３０と、記録媒体２１に画像を記録する画像記録部４０と、記録媒体２１の両面に画像記録後、画像記録部より搬出された記録媒体２１を両面画像記録装置１の外部へ排紙する排紙部５０とからなる両面画像記録装置１であって、画像記録部４０への記録媒体２１の搬入および画像記録部４０からの記録媒体２１の搬出を、すべて搬入・搬出ローラ対３２で行うことを特徴とする両面画像記録装置１。
【請求項２】
画像記録部４０において記録媒体２１のおもて面２２に画像を記録後、画像記録部４０より記録媒体２１を搬出し、再度、画像記録部４０へ記録媒体２１を搬入するまでの間、記録媒体２１を搬入・搬出ローラ対３２で拘束状態を保つことを特徴とする請求項１記載の両面記録装置１。
【請求項３】
記録媒体２１への画像記録をプラテンローラ４４に記録媒体２１を巻きつけた状態で行う請求項１または２のいずれかに記載の両面画像記録装置１。
【請求項４】
記録媒体２１を画像記録部４０へ搬入し、画像記録部４０から搬出する動作を搬入・搬出ローラ対３２、搬入・搬出切替ガイド３１で行い、動作切替を搬入・搬出ローラ対３２の駆動力で行う搬入・搬出部を有することを特徴とする請求項１から３のいずれかに記載の両面画像記録装置１。
【請求項５】
記録媒体２１が、おもて面２２に画像を記録された後、画像記録部４０より搬出される際、排紙部５０の一部を通過し、退避パス切替ガイド６１、退避パス６２を有する退避部６０に搬出されることを特徴とする請求項１から４のいずれかに記載の両面画像記録装置１。
【発明の詳細な説明】
【技術分野】
【０００１】本発明は、記録媒体の両面に画像記録を可能とした、両面画像記録装置に関する。
【背景技術】
【０００２】従来の技術に係る記録媒体全面に画像記録を可能とした熱転写方式の画像記録装置には、突起付きローラで記録媒体を搬送するタイプ（特許文献１）やプラテンローラに記録媒体を巻きつけて搬送するタイプがある（特許文献２）。また、記録媒体の両面に画像記録を可能とした熱転写方式の両面画像記録装置には、画像記録部が２個ある両面画像記録装置（特許文献３）や、画像記録部が１個である両面画像記録装置（特許文献４、特許文献５）などがある。
【先行技術文献】
【特許文献】
【０００３】
【特許文献１】特開平７−６８８０９号
【特許文献２】特許第４６３９０２５号
【特許文献３】特開２０１０−２２８４１７号
【特許文献４】特開２０１３−１８４７６７号
【特許文献５】特許第２８３４６４３号
【発明の概要】
【発明が解決しようとする課題】
【０００４】特許文献１に示す微小突起が規則的に形成され、印刷用紙を搬送するグリップローラを具備する熱転写式カラープリンタにおいては、印刷用紙の裏面に凹部が形成されるため、印刷用紙の裏面に熱転写を行うことは出来なかった。【０００５】次に、画像記録部が１個である特許文献４に示す両面画像記録装置では、一方の面に画像を記録した後、記録媒体を表裏反転する機構が必要となり、装置が大型化し、また、反転機構により搬送経路が長くなり、搬送中に記録媒体がスキューしたり、サーマルヘッドの主走査方向に動き、図１（ｂ）、（ｃ）に示すように裏面画像記録時に、記録媒体全面に画像が記録できないという問題を有する。【０００６】さらに、画像記録部が１個である特許文献５に示す両面画像記録装置では、表裏反転機構は不要であるが、記録紙７０は給紙ローラ７１で給紙され、記録紙の一方の面に画像を印刷した後、記録紙の排出を排紙ローラ２７および、再給紙ローラ４５と移送ベルト４８で行い、再給紙を移送ベルト４８と再給紙ローラ４５で行う。この為、給紙ローラ７１による搬送方向と排紙ローラ２７による搬送方向および再給紙ローラ４５と移送ベルト４８の搬送方向が一致していないと、再給紙した際に、記録紙とサーマルヘッドの位置関係がおもて面印画時と異なり、図１（ｂ）、（ｃ）に示すように記録紙の全面に印刷ができないという問題を有する。【０００７】これを解決する為に、特許文献３の図２に示す様に、記録する画像幅より広い印刷用紙を用い、印画物領域以外の端部をグリップ領域と共に切除するという手段が考案された。しかし、この方法では印刷用紙の端部を切除する機構が必要となり、装置が複雑化し、また、印刷用紙に余白が必要となり、印刷用紙に無駄が発生するという問題を有する。【０００８】本発明の目的は、小型かつ簡単な構成で、記録媒体全面および両面に無駄なく画像記録を可能とした、熱転写方式の両面画像記録装置を提供することにある。
【課題を解決するための手段】
【０００９】本発明は、記録媒体を搬入・搬出部に供給する供給部と、記録媒体を画像記録部に搬入し、画像記録部で記録媒体の一方の面に画像記録した後、画像記録部から記録媒体を搬出し、画像記録部に再度記録媒体を搬入し、記録媒体の他方の面に画像記録後、画像記録部から記録媒体を搬出する搬入・搬出部と、搬入・搬出部より搬入された記録媒体を、サーマルヘッドとプラテンローラ間に搬送し、サーマルヘッドと記録媒体の間に供給されるインクリボンにより画像記録を行う画像記録部と、画像記録部で記録媒体の一方の面に画像記録後、画像記録部から記録媒体を搬出した際、記録媒体を一旦退避させる退避部と、記録媒体の他方の両に画像記録後、記録媒体を画像記録装置の外部へ排紙する排紙部からなり、画像記録部への記録媒体の搬入および画像記録部からの記録媒体の搬出を、搬入・搬出ローラのみで行うことを特徴とする両面画像記録装置である。【００１０】本発明は、記録媒体の一方の面に画像記録後、画像記録部から記録媒体を搬出し、画像記録部に再度記録媒体を搬入するまでの間、記録媒体を搬入・搬出ローラで拘束した状態を保つことを特徴とする両面画像記録装置である。【００１１】本発明は、画像記録部において、プラテンローラに記録媒体を巻きつけた状態で画像記録を行うことを特徴とする両面画像記録装置である。【００１２】本発明は、搬入・搬出部の、搬入および搬出の動作切替を搬入・搬出ローラの駆動力で行うことを特徴とする両面画像記録装置である。【００１３】本発明は、記録媒体が、おもて面に画像を記録された後、画像記録部より搬出される際、排紙部の一部を通過し、退避パス切替ガイド、退避パスを有する退避部に搬出されることを特徴とする両面画像記録装置である。
【発明の効果】
【００１４】供給部から供給された記録媒体を画像記録部へ搬入する際も、記録媒体の一方の面に画像を記録後、画像記録部より記録媒体を搬出する際も、さらに、記録媒体のもう一方の面に画像を記録する為に記録媒体を画像記録部へ再度搬入する際も、記録媒体の搬送は搬入・搬出部のみで行われる為、プラテンローラと搬入・搬出部の位置関係のみで、記録媒体とサーマルヘッドの位置関係が一義的に決まるため一方の面に画像記録をする際と、もう一方の面に画像記録をする際に同じ位置関係が保たれ、図１（ａ）に示す様な記録媒体と印画領域が合致した画像が記録される。【００１５】また、搬入・搬出部において、記録媒体の一方の面に画像を記録後、画像記録部より記録媒体を搬出し、再度、画像記録部へ記録媒体を搬入する間、記録媒体を搬入・搬出ローラで拘束した状態を保つ為、記録媒体が不安定な状態となることがなく、記録媒体の一方の面に画像を記録した後もサーマルヘッドと記録媒体の位置関係が保たれるため、他方の面に画像記録を行う際も記録媒体全面に画像が記録される。【００１６】また、画像記録部は、特許文献２に示す様な、プラテンローラに記録媒体を巻きつけた状態で画像記録を行う方式も採用できる。この方式では、記録媒体の全面に余白無く画像記録を行うことができるので、記録媒体に余白部が生じないため、記録媒体に無駄がなく、かつ、余白部を切除するカッター機構が不要であり、構造が簡素化される。また、記録媒体の一方の面に画像記録後、画像記録部から記録媒体を搬出・搬入するだけで記録媒体の表裏が反転するため、表裏反転機構が不要であるためさらに構造が簡素化かつ小型化される。【００１７】また、図１３に示すように、プラテンローラに記録媒体を巻付けることなく画像記録を行う方法でも同様の効果を得られることは言うまでもない。【００１８】また、画像記録部へ記録媒体を搬入し、画像記録部から記録媒体を搬出する搬入・搬出部の搬入位置と搬出位置の切替は、搬入・搬出ローラの駆動力で行うため、搬入・搬出部の駆動用に新たなアクチュエータが不要であり、小型化かつコストダウンとなる。【００１９】また、退避部により、画像記録途中の記録媒体が画像記録装置の外部に露出しないため、記録媒体にゴミ、埃の付着を防ぐことができ、記録品質の低下を防ぐことが出来る。【００２０】さらに、退避部は排紙部の一部を共通とする構造であるため、本装置内部の搬送経路は簡素化される。【００２１】以上の効果により、本発明による両面画像記録装置は、記録媒体両面に無駄なく画像記録を行うことが可能となり、また、小型かつ簡素な構成となる。
【図面の簡単な説明】
【００２２】
【図１】裏面印画時の記録媒体と印画領域の位置関係に関する説明図
【図２】両面画像記録装置概略図
【図３】記録媒体概略図
【図４】インクリボン概略図
【図５】記録媒体の画像記録部への供給動作に関する説明図
【図６】記録媒体がロール形状記録媒体である時の画像記録部への供給動作に関する説明図
【図７】画像記録動作に関する説明図
【図８】画像記録部から退避部への記録媒体の搬出動作に関する説明図
【図９】画像記録部への記録媒体の再搬入動作に関する説明図
【図１０】記録媒体の排出動作に関する説明図
【図１１】搬入・搬出部の構造・動作に関する説明図
【図１２Ａ】搬入・搬出の別形態での画像記録部への記録媒体搬入に関する説明図
【図１２Ｂ】搬入・搬出の別形態での画像記録部からの記録媒体搬出に関する説明図
【図１３】プラテンローラに記録媒体を巻きつけない両面画像記録装置に関する説明図
【発明を実施するための形態】
【００２３】以下、本発明による両面画像記録装置１の実施の形態について、図面を参照しながら説明する。
【００２４】本発明による両面画像記録装置１は、図２に示すように供給部２０、搬入・搬出部３０、画像記録部４０、排紙部５０、退避部６０により構成される。供給部２０は、収容容器２５と給紙ローラ２６から構成され、記録媒体２１を収容容器２５に収容する。搬入・搬出部３０には、搬入・搬出切替ガイド３１、搬入・搬出ローラ対３２、を含む。画像記録部４０にはサーマルヘッド４１、インクリボン４２、プラテンローラ４４、圧接ローラ・ガイド４５〜４７、可動搬送ガイド４８を含む。排紙部５０には排紙ローラ５１を含む。退避部６０には退避パス切替ガイド６１、退避パス６２を含む。
【００２５】本発明による両面画像記録装置１で使用する記録媒体２１は、図３に示すように、おもて面２２及び裏面２３の両面に画像記録が可能な記録媒体である。また、便宜上、記録媒体２１はじめに画像を記録する面をおもて面２２、次に画像を記録する面を裏面２３とする。
【００２６】インクリボン４２は図４に示すように、たとえばイエロー４２１、マゼンダ４２２、シアン４２３、透明コートインク４２４が塗布されている。
【００２７】図１１は搬入・搬出部の構造・動作についての説明図である。図示されていないモータからの駆動力が歯車３４、歯車３５、歯車３６を経由し、搬入・搬出ローラ対３２に伝わりローラを駆動する。ガイド揺動軸３７の軸上にはクラッチ３３が設置されており、これにより、搬入・搬出ローラが駆動するとガイド揺動軸３７を中心に搬入・搬出切替ガイド３１が移動し、搬入位置および排出位置に切り替わる。
【００２８】図５は供給部２０から画像記録部４０へ記録媒体２１を供給する動作についての説明図である。供給部２０の収容容器２５には枚葉タイプの記録媒体２１を複数枚収容可能である。まず、可動搬送ガイド４８およびサーマルヘッド４１を給紙位置に移動し、搬入・搬出ローラ対３２を搬入方向に駆動することで、搬入・搬出切替ガイド３１が搬入位置に切り替わる。圧接ガイド・ローラ４５〜４７をプラテンローラに圧接し、給紙ローラ２６、プラテンローラ４４を搬入方向に駆動する。給紙ローラ２６により、収容容器２５から記録媒体２１が搬入・搬出部３０を経由し、画像記録部４０へ搬入される。画像記録部４０へ搬入された記録媒体２１は、インクリボン４２とプラテンローラ４４の間を通り、圧接ローラ・ガイド４５〜４７とプラテンローラ４４の間に導かれ、圧接ガイド・ローラ４５〜４７によりプラテンローラ４４に巻きつけられた状態で搬送され、図示されていないセンサーにより、記録媒体２１の前端を検知し所定の位置でプラテンローラ４４の駆動を停止する。
【００２９】図６は記録媒体がロール状であるロール形状記録媒体２４の供給部２０についての説明図である。供給部２０は給紙ローラ２６、カッターユニット２７、ロール形状記録媒体２４を含む。ロール形状記録媒体２４は、給紙ローラ２６、カッターユニット２７、搬入・搬出部３０を経由し、画像記録部４０に搬入され、所定の長さ搬入されると、カッターユニット２７によりロール形状記録媒体２４は切断され、枚葉の記録媒体２１となり、画像記録部４０へ搬入される。
【００３０】図７は記録媒体２１のおもて面２２への画像記録動作についての説明図である。まず、プラテンローラ４４を駆動し、サーマルヘッド４１を搬送される記録媒体２１に当接させ、記録媒体２１とサーマルヘッド４１との間にインクリボン４２を連続的に供給しながら、インクを記録媒体２１に熱転写し、画像を記録する。設定された画像データを転写した後、プラテンローラ４４を停止する。次にサーマルヘッド４１を給紙ポジションに移動し、プラテンローラ４４を給紙方向に駆動し、図示されていないセンサーにより、記録媒体７の前端を検知し所定の位置でプラテンローラ４４の駆動を停止する。この動作をインクリボン４２の色種たとえばイエロー、マゼンダ、シアン、透明コートインクの４色で行い、記録媒体２１への画像記録を行う。
【００３１】図８は記録媒体２１の退避部６０への排出動作についての説明図である。搬入・搬出ローラ対３２を搬出方向に駆動することで、搬入・搬出切替ガイド３１が搬出位置に切り替わる。可動搬送ガイド４８を搬出位置に移動し、さらに退避パス切替ガイド６１を退避位置に移動し、プラテンローラ４４、搬入・搬出ローラ対３２を搬出方向に駆動する。この際、搬入・搬出ローラ対３２の搬出速度はプラテンローラ４４の搬出速度より早く設定されており、記録媒体２１は画像記録部よりテンションをかけられた状態で搬出される為、画像記録部から搬入・搬出部へ移行する際、記録媒体の弛みが発生せず、蛇行を防止することが出来る。搬入・搬出部を通過した記録媒体２１は退避パス切替ガイド６１により退避パス６２へ搬送され、記録媒体２１の後端が搬入・搬出ローラ対３２から抜けない位置で停止する。
【００３２】図９は記録媒体２１の再搬入動作についての説明図である。可動搬送ガイド４８およびサーマルヘッド４１を搬入位置に移動させる。搬入・搬出ローラ対３２を搬入方向に駆動することで、搬入・搬出切替ガイド３１が搬入位置に切り替わる。プラテンローラ４４を駆動し、記録媒体を画像記録部４０に搬入する。その際、記録媒体２１の裏面２３がサーマルヘッド４１と向かい合う向きで搬入される。前記のおもて面２２への画像記録動作と同様の動作を行うことで裏面２３に画像が記録される。
【００３３】図１０は記録媒体２１の排紙動作についての説明図である。可動搬送ガイド４８、サーマルヘッド４１および退避パス切替ガイド６１を排紙位置に移動し、搬入・搬出ローラ対３２を搬出方向に駆動し、搬入・搬出切替ガイド３１を搬出位置に切り替える。プラテンローラ４４・排紙ローラ５１を排紙方向に駆動し、画像記録部４０から搬入・搬出部３０を経由し、排紙部５０に搬出された記録媒体２１は両面画像記録装置１より排紙される。画像記録部４０より記録媒体２１が排紙された後、プラテンローラ４４保護の為、圧接ローラ・ガイド４５〜４７をプラテンローラ４４から離間させても良い。
【００３４】図１２Ａ，１２Ｂは搬入・搬出部３０の別の形態についての説明図である。搬入搬出部３０はピンチローラ３８を含む搬入・搬出ローラ対３２で構成される。図１２Ａは供給部２０からの給紙および再搬入動作時の状態であり、図１２Ｂは退避部６０への排出および排紙動作時の状態である。本形態においては、搬入・搬出ローラ対３２の周りをピンチローラ３８が移動し、搬入・搬出動作の切替を行う。
【符号の説明】
【００３５】１  両面画像記録装置
２０  供給部
２１  記録媒体
２２  おもて面
２３  裏面
２４  ロール状記録媒体
２５  収容容器
２６  給紙ローラ
２７  カッターユニット
２８  画像記録領域
３０  搬入・搬出部
３１  搬入・搬出切替ガイド
３２  搬入・搬出ローラ
３３  クラッチ
３４  歯車
３５  歯車
３６  歯車
３７  ガイド揺動軸
３８  ピンチローラ
４０  画像記録部
４１  サーマルヘッド
４２  インクリボン
４２１  イエロー
４２２  マゼンダ
４２３  シアン
４２４  透明コートインク
４３  インクリボン供給部
４４  プラテンローラ
４５  圧接ガイド・ローラ
４６  圧接ガイド・ローラ
４７  圧接ガイド・ローラ
４８  可動搬送ガイド
４９  搬送ガイド
５０  排紙部
５１  排紙ローラ
６０  退避部
６１  退避パス切替ガイド
６２  退避パス
【図１】
2016002767.tif 000003
【図２】
2016002767.tif 000004
【図３】
2016002767.tif 000005
【図４】
2016002767.tif 000006
【図５】
2016002767.tif 000007
【図６】
2016002767.tif 000008
【図７】
2016002767.tif 000009
【図８】
2016002767.tif 000010
【図９】
2016002767.tif 000011
【図１０】
2016002767.tif 000012
【図１１】
2016002767.tif 000013
【図１２Ａ】
2016002767.tif 000014
【図１２Ｂ】
2016002767.tif 000015
【図１３】
2016002767.tif 000016